(57)【特許請求の範囲】
【請求項１】
移動局が、ゲートウェイ装置に収容されている第１無線基地局配下のセルから、第２無線基地局配下のセルにハンドオーバする移動通信方法であって、
前記移動局が、前記第１無線基地局に対して、前記第２無線基地局配下のセルの識別情報を含む測定報告を送信する工程と、
前記第１無線基地局が、前記第２無線基地局配下のセルの識別情報を含むハンドオーバ要求メッセージを、前記ゲートウェイ装置又は交換局のどちらに送信すべきであるかについて決定する工程とを有し、
前記第１無線基地局が、前記第２無線基地局配下のセルの識別情報を含むハンドオーバ要求メッセージを、前記ゲートウェイ装置に送信する工程と、
前記ゲートウェイ装置が、前記ハンドオーバ要求メッセージを前記第２無線基地局に対して転送することができないと判断した場合に、前記第１無線基地局に対して所定メッセージを送信する工程とを有し、
前記第１無線基地局は、前記ゲートウェイ装置から前記所定メッセージを受信した後は、前記ハンドオーバ要求メッセージを、前記交換局宛てに送信することを特徴とする移動通信方法。
【請求項２】
前記第１無線基地局が、前記第２無線基地局配下のセルの識別情報を含むハンドオーバ要求メッセージを、前記交換局に送信する工程と、
前記交換局が、前記第１無線基地局に対して、前記ゲートウェイ装置を介したハンドオーバが可能である旨を示すハンドオーバ指示メッセージを送信する工程とを有し、
前記第１無線基地局は、前記交換局から前記ハンドオーバ指示メッセージを受信した後は、前記第２無線基地局宛てのハンドオーバ要求メッセージを、前記ゲートウェイ装置宛てに送信することを特徴とする請求項１に記載の移動通信方法。
【発明の詳細な説明】
【技術分野】
【０００１】
本発明は、移動通信方法及び無線基地局に関する。
【背景技術】
【０００２】
Ｅ-ＵＴＲＡＮ方式の移動通信システムでは、多くの無線基地局ＨｅＮＢ（Ｈｏｍｅ  ｅＮＢ）をネットワークに収容できるようにするために、交換局ＭＭＥと無線基地局ＨｅＮＢとの間に、ゲートウェイ装置ＨｅＮＢ-ＧＷ（ＨｅＮＢ  Ｇａｔｅｗａｙ）を設けることができるように構成されている。
【０００３】
交換局ＭＭＥとゲートウェイ装置ＨｅＮＢ-ＧＷとの間、及び、ゲートウェイ装置ＨｅＮＢ-ＧＷと無線基地局ＨｅＮＢとの間には、Ｓ１インターフェイス、具体的には、Ｓ１  Ｃ-ｐｌａｎｅ（Ｓ１-Ｃ）及びＳ１  Ｕ-ｐｌａｎｅ（Ｓ１-Ｕ）が規定されている。
【０００４】
ここで、移動局ＵＥに個別のＳ１  Ｃ-ｐｌａｎｅシグナリング（Ｓ１-ＡＰメッセージ）は、ゲートウェイ装置ＨｅＮＢ-ＧＷで終端されることなく中継されるように構成されている。
【０００５】
また、移動局ＵＥに個別ではないＳ１  Ｃ-ｐｌａｎｅシグナリングは、ゲートウェイ装置ＨｅＮＢ-ＧＷで終端されるように構成されている。
【０００６】
なお、Ｓ１  Ｕ-ｐｌａｎｅデータは、ゲートウェイ装置ＨｅＮＢ-ＧＷで中継されるように構成されていてもよいし、ゲートウェイ装置ＨｅＮＢ-ＧＷで終端されるように構成されていてもよい。
【先行技術文献】
【非特許文献】
【０００７】
【非特許文献１】３ＧＰＰ  ＴＳ３６.３００（Ｖ９.０.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  Ｐｈｙｓｉｃａｌ  Ｃｈａｎｎｅｌｓ」、２００９年６月
【非特許文献２】３ＧＰＰ  ＴＲ３.０２０（Ｖ０.９.０）、「Ｈｏｍｅ  （ｅ）Ｎｏｄｅ  Ｂ；  Ｎｅｔｗｏｒｋ  ａｓｐｅｃｔｓ」、２００８年９月
【非特許文献３】３ＧＰＰ  ＴＳ３６.４２３（Ｖ８.６.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）；Ｘ２  ａｐｐｌｉｃａｔｉｏｎ  ｐｒｏｔｏｃｏｌ  （Ｘ２ＡＰ）」、２００９年６月
【発明の概要】
【発明が解決しようとする課題】
【０００８】
しかしながら、従来のＥ-ＵＴＲＡＮ方式の移動通信システムでは、移動局ＵＥに個別のＳ１  Ｃ-ｐｌａｎｅシグナリングは、ゲートウェイ装置ＨｅＮＢ-ＧＷで終端されることなく中継されるように構成されており、ハンドオーバメッセージは、移動局ＵＥに個別のＳ１  Ｃ-ｐｌａｎｅシグナリングであるため、移動局ＵＥが、ゲートウェイ装置ＨｅＮＢ-ＧＷに収容されている無線基地局ＨｅＮＢ配下のセルから無線基地局ｅＮＢへハンドオーバを行う度に、交換局ＭＭＥが、所定の処理を行う必要があり、交換局ＭＭＥの処理負荷が増大してしまうという問題点があった。
【０００９】
そこで、本発明は、上述の課題に鑑みてなされたものであり、移動局ＵＥが、ゲートウェイ装置ＨｅＮＢ-ＧＷに収容されている無線基地局ＨｅＮＢ配下のセルから無線基地局ｅＮＢへハンドオーバを行う際の交換局ＭＭＥの処理負荷を軽減することができる移動通信方法及び無線基地局を提供することを目的とする。
【課題を解決するための手段】
【００１０】
本発明の第１の特徴は、移動局が、ゲートウェイ装置に収容されている第１無線基地局配下のセルから、第２無線基地局配下のセルにハンドオーバする移動通信方法であって、前記移動局が、前記第１無線基地局に対して、前記第２無線基地局配下のセルの識別情報を含む測定報告を送信する工程と、前記第１無線基地局が、前記ゲートウェイ装置のＩＰアドレス宛てに、前記第２無線基地局配下のセルの識別情報を含むハンドオーバ要求メッセージを送信する工程と、前記ゲートウェイ装置が、前記第２無線基地局配下のセルの識別情報に対応するＩＰアドレス宛てに、前記ハンドオーバ要求メッセージを転送する工程とを有することを要旨とする。
【００１１】
本発明の第２の特徴は、移動局が、ゲートウェイ装置に収容されている第１無線基地局配下のセルから、第２無線基地局配下のセルにハンドオーバする移動通信方法であって、前記移動局が、前記第１無線基地局に対して、前記第２無線基地局配下のセルの識別情報を含む測定報告を送信する工程と、前記第１無線基地局が、前記第２無線基地局配下のセルの識別情報を含むハンドオーバ要求メッセージを、前記ゲートウェイ装置又は交換局のどちらに送信すべきであるかについて決定する工程とを有することを要旨とする。
【００１２】
本発明の第３の特徴は、移動局が、ゲートウェイ装置に収容されている第１無線基地局配下のセルから、第２無線基地局配下のセルにハンドオーバすることができる移動通信システムにおいて、該第１無線基地局として動作可能な無線基地局であって、前記移動局から、前記第２無線基地局配下のセルの識別情報を含む測定報告を受信した場合には、常に前記ゲートウェイ装置のＩＰアドレス宛てに、該第２無線基地局配下のセルの識別情報を含むハンドオーバ要求メッセージを送信するように構成されている送信部を具備することを要旨とする。
【００１３】
本発明の第４の特徴は、移動局が、ゲートウェイ装置に収容されている第１無線基地局配下のセルから、第２無線基地局配下のセルにハンドオーバすることができる移動通信システムにおいて、該第１無線基地局として動作可能な無線基地局であって、前記移動局から、前記第２無線基地局配下のセルの識別情報を含む測定報告を受信した場合、該第２無線基地局配下のセルの識別情報を含むハンドオーバ要求メッセージを、前記ゲートウェイ装置又は交換局のどちらに送信すべきであるかについて決定するように構成されている決定部を具備することを要旨とする。
【発明の効果】
【００１４】
以上説明したように、本発明によれば、移動局ＵＥが、ゲートウェイ装置ＨｅＮＢ-ＧＷに収容されている無線基地局ＨｅＮＢ配下のセルから無線基地局ｅＮＢへハンドオーバを行う際の交換局ＭＭＥの処理負荷を軽減することができる移動通信方法及び無線基地局を提供することができる。
【図面の簡単な説明】
【００１５】
【図１】本発明の第１の実施形態に係る移動通信システムの全体構成図である。
【図２】本発明の第１の実施形態に係る移動通信システムのプロトコルスタック図である。
【図３】本発明の第１の実施形態に係るゲートウェイ装置の機能ブロック図である。
【図４】本発明の第１の実施形態に係るゲートウェイ装置で管理されているＮＲＴの一例を示す図である。
【図５】本発明の第１の実施形態に係る移動通信システムの動作を示すシーケンス図である。
【図６】本発明の変更例１に係る無線基地局の機能ブロック図である。
【図７】本発明の変更例１に係る無線基地局で管理されているＮＲＴの一例を示す図である。
【図８】本発明の変更例１に係る移動通信システムの動作を示すシーケンス図である。
【図９】本発明の変更例１に係る移動通信システムの動作を示すシーケンス図である。
【図１０】本発明変更例２に係る移動通信システムの全体構成図である。
【発明を実施するための形態】
【００１６】
（本発明の第１の実施形態に係る移動通信システムの構成）
図１乃至図４を参照して、本発明の第１の実施形態に係る移動通信システムの構成について説明する。
【００１７】
本実施形態に係る移動通信システムは、Ｅ-ＵＴＲＡＮ方式の移動通信システムであって、図１に示すように、交換局ＭＭＥと、ゲートウェイ装置ＨｅＮＢ-ＧＷと、無線基地局ｅＮＢと、無線基地局ＨｅＮＢとを具備している。
【００１８】
また、本実施形態に係る移動通信システムでは、交換局ＭＭＥと無線基地局ｅＮＢとの間、交換局ＭＭＥとゲートウェイ装置ＨｅＮＢ-ＧＷとの間、及び、ゲートウェイ装置ＨｅＮＢ-ＧＷと無線基地局ＨｅＮＢとの間には、Ｓ１インターフェイスが規定されている。
【００１９】
また、本実施形態に係る移動通信システムでは、ゲートウェイ装置ＨｅＮＢ-ＧＷと無線基地局ｅＮＢとの間、及び、ゲートウェイ装置ＨｅＮＢ-ＧＷと無線基地局ＨｅＮＢとの間には、Ｘ２インターフェイスが規定されている。
【００２０】
具体的には、ゲートウェイ装置ＨｅＮＢ-ＧＷと無線基地局ｅＮＢとの間、及び、ゲートウェイ装置ＨｅＮＢ-ＧＷと無線基地局ＨｅＮＢとの間には、図２（ａ）に示すように、Ｘ２  Ｃ-ｐｌａｎｅ（Ｘ２-Ｃ）が規定されていると共に、図２（ｂ）に示すように、Ｘ２  Ｕ-ｐｌａｎｅ（Ｘ２-Ｕ）が規定されている。
【００２１】
ゲートウェイ装置ＨｅＮＢ-ＧＷと無線基地局ｅＮＢとの間、及び、ゲートウェイ装置ＨｅＮＢ-ＧＷと無線基地局ＨｅＮＢとの間に規定されているプロトコルスタックは、図２（ａ）及び図２（ｂ）に示す通りである。
【００２２】
図３に示すように、ゲートウェイ装置ＨｅＮＢ-ＧＷは、Ｘ２ハンドオーバメッセージ受信部１１と、ＮＲＴ（Ｎｅｉｇｈｂｏｒ  Ｒｅｌａｔｉｏｎ  Ｔａｂｌｅ）管理部１２と、Ｘ２ハンドオーバメッセージ送信部１３とを具備している。
【００２３】
Ｘ２ハンドオーバメッセージ受信部１１は、ハンドオーバ元の無線基地局ＨｅＮＢから、Ｘ２ハンドオーバメッセージ、例えば、「（Ｘ２）ＨＯ  Ｒｅｑｕｅｓｔ」を受信するように構成されている。
【００２４】
ＮＲＴ管理部１２は、ＮＲＴを管理するように構成されている。例えば、図４に示すように、隣接セルについての「ＰＣＩ（Ｐｈｙｓｉｃａｌ  Ｃｅｌｌ  ＩＤ）」や「ＥＣＧＩ（Ｅ-ＵＴＲＡＮ  Ｃｅｌｌ  Ｇｌｏｂａｌ  ＩＤ）」や「ＴＡＩ（Ｔｒａｃｋｉｎｇ  Ａｒｅａ  ＩＤ）」や「ＩＰアドレス」等を対応付けるＮＲＴを管理するように構成されている。
【００２５】
ここで、ＮＲＴ管理部１２は、ＮＲＴにおいて、ゲートウェイ装置ＨｅＮＢ-ＧＷに収容されている無線基地局ＨｅＮＢ配下のセルについての情報も管理するように構成されている。
【００２６】
Ｘ２ハンドオーバメッセージ送信部１３は、無線基地局ＨｅＮＢから、無線基地局ｅＮＢ配下のセルの識別情報「ＥＣＧＩ」を含むハンドオーバメッセージ「（Ｘ２）ＨＯ  Ｒｅｑｕｅｓｔ」を受信した場合に、ＮＲＴ管理部１２によって管理されているＮＲＴを参照して、かかる無線基地局ｅＮＢ配下のセルの識別情報「ＥＣＧＩ」に対応するＩＰアドレス宛てに、かかるハンドオーバメッセージ「（Ｘ２）ＨＯ  Ｒｅｑｕｅｓｔ」を転送するように構成されている。
【００２７】
（本発明の第１の実施形態に係る移動通信システムの動作）
図５を参照して、本発明の第１の実施形態に係る移動通信システムにおいて、移動局ＵＥが、ゲートウェイ装置ＨｅＮＢ-ＧＷに収容されている無線基地局ＨｅＮＢ配下のセルから、無線基地局ｅＮＢ配下のセルにハンドオーバする際の動作について説明する。
【００２８】
図５に示すように、ステップＳ１００１において、移動局ＵＥは、無線基地局ｅＮＢ宛てに、「ＥＣＧＩ＝８７６５４３２１」を含む「Ｍｅａｓｕｒｅｍｅｎｔ  Ｒｅｐｏｒｔ」を送信する。ここで、「ＥＣＧＩ＝８７６５４３２１」は、無線基地局ｅＮＢ配下のセルの「ＥＣＧＩ」である。
【００２９】
ステップＳ１００２において、無線基地局ＨｅＮＢは、移動局ＵＥの無線基地局ｅＮＢ配下のセルから無線基地局ＨｅＮＢ配下のセルへのＸ２ハンドオーバを行うことを決定すると、必ずゲートウェイ装置ＨｅＮＢ-ＧＷのＩＰアドレス「ｉ.ｊ.ｋ.ｌ」宛てに、「ＥＣＧＩ＝８７６５４３２１」及び「Ｏｌｄ  ｅＮＢ  ＵＥ  Ｘ２ＡＰ  ＩＤ＝ｅＮＢ（ＵＥ）」を含む「（Ｘ２）ＨＯ  Ｒｅｑｕｅｓｔ」を送信する。
【００３０】
ここで、「Ｏｌｄ  ｅＮＢ  ＵＥ  Ｘ２ＡＰ  ＩＤ＝ｅＮＢ（ＵＥ）」は、ハンドオーバ元の無線基地局（本実施形態では、無線基地局ｅＮＢ）で移動局ＵＥをＸ２インターフェイス上で識別するためのＩＤである。
【００３１】
ステップＳ１００３において、ゲートウェイ装置ＨｅＮＢ-ＧＷは、図４に示すＮＲＴを参照して、「ＥＣＧＩ＝８７６５４３２１」に対応する無線基地局ｅＮＢのＩＰアドレス「ｕ.ｖ.ｗ.ｘ」を抽出し、かかるＩＰアドレス「ｕ.ｖ.ｗ.ｘ」宛てに、「ＥＣＧＩ＝８７６５４３２１」及び「Ｏｌｄ  ｅＮＢ  ＵＥ  Ｘ２ＡＰ  ＩＤ＝ｅＮＢ（ＵＥ）」を含む「（Ｘ２）ＨＯ  Ｒｅｑｕｅｓｔ」を転送する。
【００３２】
ここで、ゲートウェイ装置ＨｅＮＢ-ＧＷは、「Ｏｌｄ  ｅＮＢ  ＵＥ  Ｘ２ＡＰ  ＩＤ＝ｅＮＢ（ＵＥ）」と無線基地局ｅＮＢのＩＰアドレス「ａａ.ｂｂ.ｃｃ.ｄｄ」とを対応付けて記憶しておく。
【００３３】
ステップＳ１００４において、無線基地局ＨｅＮＢは、ステップＳ１００３において受信した「（Ｘ２）ＨＯ  Ｒｅｑｕｅｓｔ」の送信元ＩＰアドレス「ｉ.ｊ.ｋ.ｌ」宛てに、「Ｏｌｄ  ｅＮＢ  ＵＥ  Ｘ２ＡＰ  ＩＤ＝ｅＮＢ（ＵＥ）」及び「Ｎｅｗ  ｅＮＢ  ＵＥ  Ｘ２ＡＰ  ＩＤ＝ＨｅＮＢ（ＵＥ）」を含む「（Ｘ２）ＨＯ  Ｒｅｑｕｅｓｔ  ＡＣＫ」を送信する。
【００３４】
ステップＳ１００５において、ゲートウェイ装置ＨｅＮＢ-ＧＷは、ステップＳ１００４において受信した「（Ｘ２）ＨＯ  Ｒｅｑｕｅｓｔ  ＡＣＫ」に含まれる「Ｏｌｄ  ｅＮＢ  ＵＥ  Ｘ２ＡＰ  ＩＤ＝ｅＮＢ（ＵＥ）」に対応する無線基地局ｅＮＢのＩＰアドレス「ａａ.ｂｂ.ｃｃ.ｄｄ」宛てに、「Ｏｌｄ  ｅＮＢ  ＵＥ  Ｘ２ＡＰ  ＩＤ＝ｅＮＢ（ＵＥ）」及び「Ｎｅｗ  ｅＮＢ  ＵＥ  Ｘ２ＡＰ  ＩＤ＝ＨｅＮＢ（ＵＥ）」を含む「（Ｘ２）ＨＯ  Ｒｅｑｕｅｓｔ  ＡＣＫ」を送信する。
【００３５】
ここで、ゲートウェイ装置ＨｅＮＢ-ＧＷは、「Ｎｅｗ  ｅＮＢ  ＵＥ  Ｘ２ＡＰ  ＩＤ＝ＨｅＮＢ（ＵＥ）」と無線基地局ＨｅＮＢのＩＰアドレス「ｕ.ｖ.ｗ.ｘ」とを対応付けて記憶しておく。
【００３６】
ステップＳ１００６において、無線基地局ｅＮＢは、移動局ＵＥに対して、「ＲＲＣ  Ｃｏｎｎｅｃｔｉｏｎ  Ｒｅｃｏｎｆｉｇｕｒａｔｉｏｎ」を送信する。
【００３７】
ステップＳ１００７において、移動局ＵＥは、ハンドオーバ元のセル（無線基地局ｅＮＢ配下のセル）からデタッチし、ハンドオーバ先のセル（無線基地局ＨｅＮＢ配下のセル）に同期する。
【００３８】
ステップＳ１００８において、無線基地局ｅＮＢは、ステップＳ１００５において受信した「（Ｘ２）ＨＯ  Ｒｅｑｕｅｓｔ  ＡＣＫ」の送信元ＩＰアドレス「ｉ.ｊ.ｋ.ｌ」宛てに、「Ｏｌｄ  ｅＮＢ  ＵＥ  Ｘ２ＡＰ  ＩＤ＝ｅＮＢ（ＵＥ）」及び「Ｎｅｗ  ｅＮＢ  ＵＥ  Ｘ２ＡＰ  ＩＤ＝ＨｅＮＢ（ＵＥ）」を含む「（Ｘ２）ＳＮ  Ｓｔａｔｕｓ  Ｔｒａｎｓｆｅｒ」を送信する。
【００３９】
ステップＳ１００９において、ゲートウェイ装置ＨｅＮＢ-ＧＷは、ステップＳ１００８において受信した「（Ｘ２）ＳＮ  Ｓｔａｔｕｓ  Ｔｒａｎｓｆｅｒ」に含まれている「Ｎｅｗ  ｅＮＢ  ＵＥ  Ｘ２ＡＰ  ＩＤ＝ＨｅＮＢ（ＵＥ）」に対応するＩＰアドレス「ｕ.ｖ.ｗ.ｘ」宛てに、「Ｏｌｄ  ｅＮＢ  ＵＥ  Ｘ２ＡＰ  ＩＤ＝ｅＮＢ（ＵＥ）」及び「Ｎｅｗ  ｅＮＢ  ＵＥ  Ｘ２ＡＰ  ＩＤ＝ＨｅＮＢ（ＵＥ）」を含む「（Ｘ２）ＳＮ  Ｓｔａｔｕｓ  Ｔｒａｎｓｆｅｒ」を送信する。
【００４０】
ステップＳ１０１０において、移動局ＵＥは、無線基地局ＨｅＮＢに対して、移動局ＵＥに固有に割り当てたＲａｎｄｏｍ  Ａｃｃｅｓｓ  ＣＨａｎｎｅｌ  Ｐｒｅａｍｂｌｅ  （ＲＡＣＨ  Ｐｒｅａｍｂｌｅ）を送信し、ステップＳ１０１１において、無線基地局ＨｅＮＢは、移動局ＵＥに対して、「ＵＬ  ａｌｌｏｃａｔｉｏｎ＋Ｔｉｍｉｎｇ  Ａｄｖａｎｃｅ  ｆｏｒ  ＵＥ」を送信し、ステップＳ１０１２において、無線基地局ＨｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００４１】
ステップＳ１０１３において、無線基地局ＨｅＮＢは、交換局ＭＭＥに対して、「（Ｓ１）Ｐａｔｈ  Ｓｗｉｔｃｈ  Ｒｅｑｕｅｓｔ」を送信し、交換局ＭＭＥは、無線基地局ＨｅＮＢに対して、「（Ｓ１）Ｐａｔｈ  Ｓｗｉｔｃｈ  Ｒｅｑｕｅｓｔ  ＡＣＫ」を送信する。
【００４２】
ステップＳ１０１５において、無線基地局ＨｅＮＢは、ゲートウェイ装置ＨｅＮＢ-ＧＷに対して、「（Ｘ２）ＵＥ  Ｃｏｎｔｅｘｔ  Ｒｅｌｅａｓｅ」を送信し、ステップＳ１０１６において、ゲートウェイ装置ＨｅＮＢ-ＧＷは、無線基地局ｅＮＢに対して、「（Ｘ２）ＵＥ  Ｃｏｎｔｅｘｔ  Ｒｅｌｅａｓｅ」を送信する。
【００４３】
（本発明の第１の実施形態に係る移動通信システムの作用・効果）
本発明の第１の実施形態に係る移動通信システムによれば、Ｘ２インターフェイスを用いて、移動局ＵＥの無線基地局ＨｅＮＢ間のハンドオーバについての処理を行うため、交換局ＭＭＥの処理負荷を軽減することができる。
【００４４】
また、本発明の第１の実施形態に係る移動通信システムによれば、無線基地局ＨｅＮＢが、ＮＲＴを管理する必要がないため、無線基地局ＨｅＮＢの処理負荷を軽減することができる。
【００４５】
（変更例１）
図６乃至図８を参照して、本発明の変更例１に係る移動通信システムについて説明する。以下、本変更例１に係る移動通信システムについて、上述の第１の実施形態に係る移動通信システムとの相違点に着目して説明する。
【００４６】
図６に示すように、本変更例１に係る移動通信システムでは、無線基地局ＨｅＮＢは、Ｘ２ハンドオーバメッセージ受信部２１と、ＮＲＴ管理部２２と、Ｘ２ハンドオーバメッセージ送信部２３とを具備している。
【００４７】
Ｘ２ハンドオーバメッセージ受信部２１は、移動局ＵＥから、Ｘ２ハンドオーバメッセージ、例えば、「Ｍｅａｓｕｒｅｍｅｎｔ  Ｒｅｐｏｒｔ（測定報告）」を受信するように構成されている。
【００４８】
ＮＲＴ管理部２２は、ＮＲＴを管理するように構成されている。例えば、図７に示すように、隣接セルについての「ＰＣＩ」や「ＥＣＧＩ」や「ＴＡＩ」や「ＩＰアドレス」や「Ｎｏ  Ｘ２」等を対応付けるＮＲＴを管理するように構成されている。
【００４９】
ここで、「Ｎｏ  Ｘ２」は、無線基地局ＨｅＮＢとゲートウェイ装置ＨｅＮＢ-ＧＷとの間及び無線基地局ｅＮＢとゲートウェイ装置ＨｅＮＢ-ＧＷとの間にＸ２インターフェイスが規定されているか否かについて示すものであり、例えば、「Ｎｏ  Ｘ２」に「○」が設定されている場合には、かかるＸ２インターフェイスが規定されていないことを示し、「Ｎｏ  Ｘ２」に何もが設定されていない場合には、かかるＸ２インターフェイスが規定されていることを示す。
【００５０】
ＮＲＴ管理部２２は、ゲートウェイ装置ＨｅＮＢ-ＧＷから、Ｘ２ハンドオーバを行うことができない旨を示す所定メッセージ「（Ｘ２）ＨＯ  Ｐｒｅｐａｒａｔｉｏｎ  Ｆａｉｌｕｒｅ」を受信した場合に、該当するセルについての「Ｎｏ  Ｘ２」に「０」を設定するように構成されている。
【００５１】
また、ＮＲＴ管理部２２は、交換局ＭＭＥから、ゲートウェイ装置ＨｅＮＢ-ＧＷを介したハンドオーバ（Ｘ２ハンドオーバ）が可能である旨を示す情報が付与されたハンドオーバ指示メッセージ「（Ｓ１）ＨＯ  Ｃｏｍｍａｎｄ」を受信した場合には、該当するセルについての「Ｎｏ  Ｘ２」に設定されている「０」を削除するように構成されている。
【００５２】
Ｘ２ハンドオーバメッセージ送信部１３は、移動局ＵＥから、無線基地局ｅＮＢ配下のセルの識別情報「ＥＣＧＩ」を含む測定報告「Ｍｅａｓｕｒｅｍｅｎｔ  Ｒｅｐｏｒｔ」を受信した場合、ＮＲＴ管理部２２によって管理されているＮＲＴの「Ｎｏ  Ｘ２」を参照して、無線基地局ｅＮＢ配下のセルの識別情報「ＥＣＧＩ」を含むハンドオーバ要求メッセージ「（Ｘ２）ＨＯ  Ｒｅｑｕｅｓｔ」をゲートウェイ装置ＨｅＮＢ-ＧＷに送信すべきであるか、或いは、無線基地局ｅＮＢ配下のセルの識別情報「ＥＣＧＩ」を含むハンドオーバ要求メッセージ「（Ｓ１）ＨＯ  Ｒｅｑｕｉｒｅｄ」を交換局ＭＭＥに送信すべきであるかについて決定するように構成されている。
【００５３】
すなわち、Ｘ２ハンドオーバメッセージ送信部１３は、無線基地局ｅＮＢ配下のセルについての「Ｎｏ  Ｘ２」に「０」が設定されている場合には、無線基地局ｅＮＢ配下のセルの識別情報「ＥＣＧＩ」を含むハンドオーバ要求メッセージ「（Ｓ１）ＨＯ  Ｒｅｑｕｉｒｅｄ」を交換局ＭＭＥに送信すべきであると決定するように構成されている。
【００５４】
一方、Ｘ２ハンドオーバメッセージ送信部１３は、無線基地局ｅＮＢ配下のセルについての「Ｎｏ  Ｘ２」に何も設定されていない場合には、無線基地局ｅＮＢ配下のセルの識別情報「ＥＣＧＩ」を含むハンドオーバ要求メッセージ「（Ｘ２）ＨＯ  Ｒｅｑｕｅｓｔ」をゲートウェイ装置ＨｅＮＢ-ＧＷに送信すべきであると決定するように構成されている。
【００５５】
なお、図４に示すように、ゲートウェイ装置ＨｅＮＢ-ＧＷのＮＲＴ管理部１２によって管理されているＮＲＴにも、同様の「Ｎｏ  Ｘ２」が含まれている。
【００５６】
図８及び図９を参照して、本発明の第１の実施形態に係る移動通信システムにおいて、移動局ＵＥが、無線基地局ｅＮＢ配下のセルから、ゲートウェイ装置ＨｅＮＢ-ＧＷに収容されている無線基地局ＨｅＮＢ配下のセルにハンドオーバする際の動作について説明する。
【００５７】
第１に、図８に示すように、ステップＳ２００１において、移動局ＵＥは、無線基地局ＨｅＮＢに対して、「ＥＣＧＩ＝８７６５６４３２１」を含む「Ｍｅａｓｕｒｅｍｅｎｔ  Ｒｅｐｏｒｔ」を送信する。ここで、「ＥＣＧＩ＝８７６５６４３２１」は、無線基地局ｅＮＢの「ＥＣＧＩ」である。
【００５８】
ステップＳ２００２において、無線基地局ＨｅＮＢは、図７に示すＮＲＴにおいて、移動局ＵＥから報告された無線基地局ｅＮＢの「ＥＣＧＩ」が登録されているかについて検索する。
【００５９】
ここで、無線基地局ＨｅＮＢは、図７に示すＮＲＴにおいて、無線基地局ｅＮＢの「ＥＣＧＩ」が登録されており、かつ、Ｘ２ハンドオーバができないことを示す情報である「Ｎｏ  Ｘ２」に「０」が設定されていた場合、移動局ＵＥの無線基地局ＨｅＮＢ配下のセルから無線基地局ｅＮＢ配下のセルへのＳ１ハンドオーバを行うことを決定し、無線基地局ｅＮＢ配下のセルの「ＥＣＧＩ」を含む「（Ｓ１）ＨＯ  Ｒｅｑｕｉｒｅｄ」を交換局ＭＭＥに送信する。
【００６０】
ステップＳ２００３において、交換局ＭＭＥが、無線基地局ｅＮＢに対して、「（Ｓ１）ＨＯ  Ｒｅｑｕｅｓｔ」を送信する。
【００６１】
ステップＳ２００４において、無線基地局ｅＮＢは、Ｘ２ハンドオーバが可能であると判定し、かかる判定結果を示す「Ｘ２ハンドオーバ：ａｖａｉｌａｂｌｅ」であることを示す情報を含む「（Ｓ１）ＨＯ  Ｒｅｑｕｅｓｔ  ＡＣＫ」を、交換局ＭＭＥに対して送信する。
【００６２】
例えば、かかる情報は、１ビットで構成されており、「１」が設定されている場合には、「Ｘ２ハンドオーバ：ａｖａｉｌａｂｌｅ」であることを示し、「０」が設定されている場合には、「Ｘ２ハンドオーバ：ｎｏｔ  ａｖａｉｌａｂｌｅ」であることを示すように構成されていてもよい。
【００６３】
ステップＳ２００５において、交換局ＭＭＥは、無線基地局ＨｅＮＢに対して、かかる判定結果を示す「Ｘ２ハンドオーバ：ａｖａｉｌａｂｌｅ」であることを示す情報を含むハンドオーバ指示メッセージ「（Ｓ１）ＨＯ  Ｃｏｍｍａｎｄ」を送信する。
【００６４】
ここで、無線基地局ＨｅＮＢは、無線基地局ｅＮＢ配下のセルについての「Ｎｏ  Ｘ２」に設定されている「０」を削除する。
【００６５】
ステップＳ２００６において、無線基地局ＨｅＮＢは、移動局ＵＥに対して、「ＲＲＣ  Ｃｏｎｎｅｃｔｉｏｎ  Ｒｅｃｏｎｆｉｇｕｒａｔｉｏｎ」を送信する。
【００６６】
ステップＳ２００７において、移動局ＵＥは、ハンドオーバ元のセル（無線基地局ＨｅＮＢ配下のセル）からデタッチし、ハンドオーバ先のセル（無線基地局ｅＮＢ配下のセル）に同期する。
【００６７】
ステップＳ２００８において、無線基地局ＨｅＮＢは、交換局ＭＭＥに対して、「（Ｓ１）ｅＮＢ  Ｓｔａｔｕｓ  Ｔｒａｎｓｆｅｒ」を送信し、ステップＳ２００９において、交換局ＭＭＥは、無線基地局ｅＮＢに対して、「（Ｓ１）ＭＭＥ  Ｓｔａｔｕｓ  Ｔｒａｎｓｆｅｒ」を送信する。
【００６８】
ステップＳ２０１０において、移動局ＵＥは、無線基地局ｅＮＢに対して、移動局ＵＥに固有に割り当てたＲａｎｄｏｍ  Ａｃｃｅｓｓ  ＣＨａｎｎｅｌ  Ｐｒｅａｍｂｌｅ（ＲＡＣＨ  Ｐｒｅａｍｂｌｅ）を送信し、ステップＳ２０１１において、無線基地局ｅＮＢは、移動局ＵＥに対して、「ＵＬ  ａｌｌｏｃａｔｉｏｎ＋Ｔｉｍｉｎｇ  Ａｄｖａｎｃｅ  ｆｏｒ  ＵＥ」を送信し、ステップＳ２０１２において、移動局ＵＥは、無線基地局ｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００６９】
ステップＳ２０１３において、無線基地局ｅＮＢは、交換局ＭＭＥに対して、「（Ｓ１）ｅＮＢ  ＨＯ  ｎｏｔｉｆｙ」を送信し、ステップＳ２０１４において、交換局ＭＭＥは、無線基地局ＨｅＮＢに対して、「（Ｓ１）ＵＥ  Ｃｏｎｔｅｘｔ  Ｒｅｌｅａｓｅ」を送信する。
【００７０】
これ以降、移動局ＵＥが、無線基地局ＨｅＮＢ配下のセルから無線基地局ｅＮＢ配下のセルにハンドオーバする際には、Ｘ２ハンドオーバを行うことから開始する。
【００７１】
なお、上述のＸ２ハンドオーバが可能であるか否かについての判定は、無線基地局ｅＮＢの代わりに、交換局ＭＭＥやゲートウェイ装置ＨｅＮＢ-ＧＷにて行われてもよい。
【００７２】
第２に、図９に示すように、ステップＳ３００１において、移動局ＵＥは、無線基地局ＨｅＮＢに対して、「ＥＣＧＩ＝８７６５６４３２１」を含む「Ｍｅａｓｕｒｅｍｅｎｔ  Ｒｅｐｏｒｔ」を送信する。ここで、「ＥＣＧＩ＝８７６５６４３２１」は、無線基地局ｅＮＢの「ＥＣＧＩ」である。
【００７３】
ステップＳ３００２において、無線基地局ＨｅＮＢは、移動局ＵＥの無線基地局ＨｅＮＢ配下のセルから無線基地局ｅＮＢ配下のセルへのＸ２ハンドオーバを行うことを決定すると、図７に示すＮＲＴを参照して、無線基地局ｅＮＢ配下のセルについての「Ｎｏ  Ｘ２」に何も設定されていないため、ゲートウェイ装置ＨｅＮＢ-ＧＷのＩＰアドレス「ｉ.ｊ.ｋ.ｌ」宛てに、無線基地局ｅＮＢ配下のセルの識別情報「ＥＣＧＩ」を含む「（Ｘ２）ＨＯ  Ｒｅｑｕｅｓｔ」を送信する。
【００７４】
ステップＳ３００３において、ゲートウェイ装置ＨｅＮＢ-ＧＷは、ＮＲＴにおいて、無線基地局ｅＮＢ配下のセルに係るエントリが存在しない、或いは、無線基地局ｅＮＢ配下のセルについての「Ｎｏ  Ｘ２」に「０」が設定されている（すなわち、Ｘ２インターフェイスが確立されていない）と判定した場合、無線基地局ＨｅＮＢに対して、「（Ｘ２）ＨＯ  Ｒｅｑｕｅｓｔ」を無線基地局ｅＮＢに対して転送することができない、すなわち、Ｘ２ハンドオーバが不可能である旨を示す「（Ｘ２）ＨＯ  Ｐｒｅｐａｒａｔｉｏｎ  Ｆａｉｌｕｒｅ」を送信する。
【００７５】
無線基地局ＨｅＮＢは、ステップＳ３００４において、無線基地局ｅＮＢ配下のセルの識別情報「ＥＣＧＩ」を含む「（Ｓ１）ＨＯ  Ｒｅｑｕｉｒｅｄ」を交換局ＭＭＥに送信すると共に、無線基地局ｅＮＢ配下のセルについての「Ｎｏ  Ｘ２」に「０」設定する。
【００７６】
ステップＳ３００５乃至Ｓ３０１６の動作は、図８に示すステップＳ２００３乃至Ｓ２０１４の動作と同様である。
【００７７】
これ以降、移動局ＵＥが、無線基地局ＨｅＮＢ配下のセルから無線基地局ｅＮＢ配下のセルにハンドオーバする際には、Ｓ１ハンドオーバを行うことから開始する。
【００７８】
本変更例１に係る移動通信システムによれば、Ｘ２インターフェイスが確立されているか否かに応じて、Ｘ２ハンドオーバ或いはＳ１ハンドオーバのいずれかによって、移動局ＵＥの無線基地局ＨｅＮＢから無線基地局ｅＮＢへのハンドオーバを行うことができる。
【００７９】
（変更例２）
図１０を参照して、本発明の変更例２に係る移動通信システムについて説明する。以下、本変更例２に係る移動通信システムについて、上述の第１の実施形態に係る移動通信システム及び変更例１に係る移動通信システムとの相違点に着目して説明する。
【００８０】
図１０に示すように、本変更例２に係る移動通信システムでは、移動局ＵＥが、同一のゲートウェイ装置ＨｅＮＢ-ＧＷに収容されている無線基地局ＨｅＮＢ＃１（第１無線基地局）配下のセルから無線基地局ＨｅＮＢ＃２（第２無線基地局）配下のセルにハンドオーバするように構成されている。
【００８１】
本発明は、かかる構成に対しても、上述の第１の実施形態に係る移動通信システム及び変更例１に係る移動通信システムと同様に適用可能である。
【００８２】
以上に述べた本実施形態の特徴は、以下のように表現されていてもよい。
【００８３】
本実施形態の第１の特徴は、移動局ＵＥが、ゲートウェイ装置ＨｅＮＢ-ＧＷに収容されている無線基地局ＨｅＮＢ（第１無線基地局）配下のセルから、無線基地局ｅＮＢ（第２無線基地局）配下のセルにハンドオーバする移動通信方法であって、移動局ＵＥが、無線基地局ＨｅＮＢに対して、無線基地局ｅＮＢ配下のセルの識別情報「ＥＣＧＩ」を含む測定報告「Ｍｅａｓｕｒｅｍｅｎｔ  Ｒｅｐｏｒｔ」を送信する工程と、無線基地局ＨｅＮＢが、ゲートウェイ装置ＨｅＮＢ-ＧＷのＩＰアドレス宛てに、無線基地局ｅＮＢ配下のセルの識別情報「ＥＣＧＩ」を含むハンドオーバ要求メッセージ「（Ｘ２）ＨＯ  Ｒｅｑｕｅｓｔ」を送信する工程と、ゲートウェイ装置ＨｅＮＢ-ＧＷが、無線基地局ｅＮＢ配下のセルの識別情報「ＥＣＧＩ」に対応するＩＰアドレス宛てに、ハンドオーバ要求メッセージ「（Ｘ２）ＨＯ  Ｒｅｑｕｅｓｔ」を転送する工程とを有することを要旨とする。
【００８４】
本実施形態の第２の特徴は、移動局ＵＥが、ゲートウェイ装置ＨｅＮＢ-ＧＷに収容されている無線基地局ＨｅＮＢ配下のセルから、無線基地局ｅＮＢ配下のセルにハンドオーバする移動通信方法であって、移動局ＵＥが、無線基地局ＨｅＮＢに対して、無線基地局ｅＮＢ配下のセルの識別情報「ＥＣＧＩ」を含む測定報告「Ｍｅａｓｕｒｅｍｅｎｔ  Ｒｅｐｏｒｔ」を送信する工程と、無線基地局ＨｅＮＢが、無線基地局ｅＮＢ配下のセルの識別情報「ＥＣＧＩ」を含むハンドオーバ要求メッセージ「（Ｘ２）ＨＯ  Ｒｅｑｕｅｓｔ/（Ｓ１）ＨＯ  Ｒｅｑｕｉｒｅｄ」を、ゲートウェイ装置ＨｅＮＢ-ＧＷ又は交換局ＭＭＥのどちらに送信すべきであるかについて決定する工程とを有することを要旨とする。
【００８５】
本実施形態の第２の特徴において、無線基地局ＨｅＮＢが、無線基地局ｅＮＢ配下のセルの識別情報「ＥＣＧＩ」を含むハンドオーバ要求メッセージ「（Ｘ２）ＨＯ  Ｒｅｑｕｅｓｔ」をゲートウェイ装置ＨｅＮＢ-ＧＷに送信する工程と、ゲートウェイ装置ＨｅＮＢ-ＧＷが、ハンドオーバ要求メッセージ「（Ｘ２）ＨＯ  Ｒｅｑｕｅｓｔ」を無線基地局ｅＮＢに対して転送することができないと判断した場合に、無線基地局ＨｅＮＢに対して所定メッセージ「（Ｘ２）ＨＯ  Ｐｒｅｐａｒａｔｉｏｎ  Ｆａｉｌｕｒｅ」を送信する工程とを有し、無線基地局ＨｅＮＢは、ゲートウェイ装置ＨｅＮＢ-ＧＷから所定メッセージ「（Ｘ２）ＨＯ  Ｐｒｅｐａｒａｔｉｏｎ  Ｆａｉｌｕｒｅ」を受信した後は、ハンドオーバ要求メッセージ「（Ｓ１）ＨＯ  Ｒｅｑｕｉｒｅｄ」を交換局ＭＭＥ宛てに送信してもよい。
【００８６】
本実施形態の第２の特徴において、無線基地局ＨｅＮＢが、無線基地局ｅＮＢ配下のセルの識別情報「ＥＣＧＩ」を含むハンドオーバ要求メッセージ「（Ｓ１）ＨＯ  Ｒｅｑｕｉｒｅｄ」を交換局ＭＭＥに送信する工程と、交換局ＭＭＥが、無線基地局ＨｅＮＢに対して、ゲートウェイ装置ＨｅＮＢ-ＧＷを介したハンドオーバ（Ｘ２ハンドオーバ）が可能である旨を示すハンドオーバ指示メッセージ「（Ｓ１）ＨＯ  Ｃｏｍｍａｎｄ」を送信する工程とを有し、無線基地局ＨｅＮＢは、交換局ＭＭＥからハンドオーバ指示メッセージ「（Ｓ１）ＨＯ  Ｃｏｍｍａｎｄ」を受信した後は、無線基地局ｅＮＢ宛てのハンドオーバ要求メッセージ「（Ｘ２）ＨＯ  Ｒｅｑｕｅｓｔ」をゲートウェイ装置ＨｅＮＢ-ＧＷ宛てに送信してもよい。
【００８７】
本実施形態の第３の特徴は、移動局ＵＥが、ゲートウェイ装置ＨｅＮＢ-ＧＷに収容されている無線基地局ＨｅＮＢ配下のセルから、無線基地局ｅＮＢ配下のセルにハンドオーバすることができる移動通信システムにおける無線基地局ＨｅＮＢであって、移動局ＵＥから、無線基地局ｅＮＢ配下のセルの識別情報「ＥＣＧＩ」を含む測定報告「Ｍｅａｓｕｒｅｍｅｎｔ  Ｒｅｐｏｒｔ」を受信した場合には、常にゲートウェイ装置ＨｅＮＢ-ＧＷのＩＰアドレス宛てに、無線基地局ｅＮＢ配下のセルの識別情報「ＥＣＧＩ」を含むハンドオーバ要求メッセージ「（Ｘ２）ＨＯ  Ｒｅｑｕｅｓｔ」を送信するように構成されている送信部を具備することを特徴とする無線基地局。
【００８８】
本実施形態の第４の特徴は、移動局ＵＥが、ゲートウェイ装置ＨｅＮＢ-ＧＷに収容されている無線基地局ＨｅＮＢ配下のセルから、無線基地局ｅＮＢ配下のセルにハンドオーバすることができる移動通信システムにおける無線基地局ＨｅＮＢであって、移動局ＵＥから、無線基地局ｅＮＢ配下のセルの識別情報「ＥＣＧＩ」を含む測定報告「Ｍｅａｓｕｒｅｍｅｎｔ  Ｒｅｐｏｒｔ」を受信した場合、無線基地局ｅＮＢ配下のセルの識別情報「ＥＣＧＩ」を含むハンドオーバ要求メッセージ「（Ｘ２）ＨＯ  Ｒｅｑｕｅｓｔ/（Ｓ１）ＨＯ  Ｒｅｑｕｉｒｅｄ」をゲートウェイ装置ＨｅＮＢ-ＧＷ又は交換局ＭＭＥのどちらに送信すべきであるかについて決定するように構成されているＸ２ハンドオーバメッセージ送信部１３を具備することを要旨とする。
【００８９】
本実施形態の第４の特徴において、Ｘ２ハンドオーバメッセージ送信部１３は、上述の決定に基づいて、無線基地局ｅＮＢ配下のセルの識別情報「ＥＣＧＩ」を含むハンドオーバ要求メッセージ「（Ｘ２）ＨＯ  Ｒｅｑｕｅｓｔ」をゲートウェイ装置ＨｅＮＢ-ＧＷに送信し、かかるハンドオーバ要求メッセージ「（Ｘ２）ＨＯ  Ｒｅｑｕｅｓｔ」を無線基地局ｅＮＢに対して転送することができないと判断したゲートウェイ装置ＨｅＮＢ-ＧＷから、所定メッセージ「（Ｘ２）ＨＯ  Ｐｒｅｐａｒａｔｉｏｎ  Ｆａｉｌｕｒｅ」を受信した後は、ハンドオーバ要求メッセージ「（Ｓ１）ＨＯ  Ｒｅｑｕｉｒｅｄ」を交換局ＭＭＥ宛てに送信するように決定するように構成されていてもよい。
【００９０】
本実施形態の第４の特徴において、Ｘ２ハンドオーバメッセージ送信部１３は、上述の決定に基づいて、無線基地局ｅＮＢ配下のセルの識別情報「ＥＣＧＩ」を含むハンドオーバ要求メッセージ「（Ｓ１）ＨＯ  Ｒｅｑｕｉｒｅｄ」を交換局ＭＭＥに送信し、交換局ＭＭＥから、ゲートウェイ装置ＨｅＮＢ-ＧＷを介したＸ２ハンドオーバが可能である旨を示すハンドオーバ指示メッセージ「（Ｓ１）ＨＯ  Ｃｏｍｍａｎｄ」を受信した後は、ハンドオーバ要求メッセージ「（Ｘ２）ＨＯ  Ｒｅｑｕｅｓｔ」をゲートウェイ装置ＨｅＮＢ-ＧＷ宛てに送信するように決定するように構成されていてもよい。
【００９１】
なお、上述の無線基地局ｅＮＢ/ＨｅＮＢや移動局ＵＥやゲートウェイ装置ＨｅＮＢ-ＧＷや交換局ＭＭＥの動作は、ハードウェアによって実施されてもよいし、プロセッサによって実行されるソフトウェアモジュールによって実施されてもよいし、両者の組み合わせによって実施されてもよい。
【００９２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ/ＨｅＮＢや移動局ＵＥやゲートウェイ装置ＨｅＮＢ-ＧＷや交換局ＭＭＥ内に設けられていてもよい。また、かかる記憶媒体及びプロセッサは、ディスクリートコンポーネントとして無線基地局ｅＮＢ/ＨｅＮＢや移動局ＵＥやゲートウェイ装置ＨｅＮＢ-ＧＷや交換局ＭＭＥ内に設けられていてもよい。
【００９４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９５】
ｅＮＢ、ＨｅＮＢ…無線基地局
ＨｅＮＢ-ＧＷ…ゲートウェイ装置
１１、１２…Ｘ２ハンドオーバメッセージ受信部
１２、２２…ＮＲＴ管理部
１３、２３…Ｘ２ハンドオーバメッセージ送信部
【図１】
0005414857.tif 000002
【図２】
0005414857.tif 000003
【図３】
0005414857.tif 000004
【図４】
0005414857.tif 000005
【図５】
0005414857.tif 000006
【図６】
0005414857.tif 000007
【図７】
0005414857.tif 000008
【図８】
0005414857.tif 000009
【図９】
0005414857.tif 000010
【図１０】
0005414857.tif 000011